(57)【特許請求の範囲】
【請求項１】
地中に埋設される外筒を備えた固定側の長尺部材と、前記外筒内に昇降自在に収納される柱体と、該柱体が所定の突出位置で降下するのを解除自在に規制するロック手段とを備えた出没式柵柱において、
前記ロック手段は、柱体を突出位置で固定するロック位置と、柱体の没入を許容する解除位置とに位置変更できるように、支持軸を介して柱体に回転自在に支持されたストップカムからなり、前記長尺部材には、ロック位置でストップカムが回転不可能に係合する係合部が設けられ、しかも、前記長尺部材には、前記柱体を突出位置よりも上昇させることにより、ロック位置のストップカムを解除する側に回転させ、または、解除位置にあるストップカムをロックする側に回転させるように、ストップカムに当接するカム動作部が設けられていることを特徴とする出没式柵柱。
【請求項２】
前記長尺部材は、筒状の柱体の内部で且つ柱体に沿って設けられた内側支持体を備え、該内側支持体に、前記係合部と前記カム動作部とが設けられ、前記係合部は外筒の長手方向に設けられた長尺状のガイド部材からなり、該ガイド部材は、前記カム動作部で回転したストップカムを、解除位置に位置決めし、しかも、解除位置にあるストップカムの摺動面と摺動する被摺動面が設けられている請求項１に記載に出没式柵柱。
【請求項３】
第１長尺部材と、該第１長尺部材に対して伸縮自在に設けられた第２長尺部材と、該第２長尺部材が所定の突出位置で収縮する方向に移動するのを解除自在に規制するロック手段とを備えた伸縮部材のロック装置において、
前記ロック手段は、前記第２長尺部材を突出位置で固定するロック位置と、前記第２長尺部材の収納を許容する解除位置とに位置変更できるように、支持軸を介して前記第２長尺部材に回転自在に支持されたストップカムからなり、前記第１長尺部材には、ロック位置でストップカムが回転不可能に係合する係合部が設けられ、しかも、前記第１長尺部材には、前記第２長尺部材を突出位置よりも突出させることにより、ロック位置のストップカムを解除する側に回転させ、または、解除位置にあるストップカムをロックする側に回転させるように、ストップカムに当接するカム動作部が設けられていることを特徴とする伸縮部材のロック装置。
【発明の詳細な説明】
【技術分野】
【０００１】
本発明は、例えば、地中に埋設された外筒内に収納され、必要に応じ地上へ引き上げて立設させることにより、車両や人の通行を規制するように構成された出没式柵柱、および、出没式柵柱等に採用可能な長尺体を伸縮させる伸縮部材のロック装置に関する。
【背景技術】
【０００２】
従来の地中埋設式の車止め柵柱は、地中に埋設される外筒（パイプ）と、この外パイプ内に挿脱自在に保持される内パイプとからなり、使用時には内パイプが地上に引き出された状態で固定され、不使用時には内パイプが外パイプ内に落とし込まれて収納（没入）される。内パイプの下端近傍には、内パイプの外周面に突出するロックピンが設けられる。
【０００３】
一方、外パイプの上端の内側にはパイプガイド（ガイドブッシュ）が添設され、このガイドブッシュに係合溝が形成される。そして、内パイプを引き上げて回転させた際に、ロックピンが係合溝に係合して、内パイプの立設状態が保持されるようになっている（例えば、特許文献１参照）。
【特許文献１】特開２００１−２４８１２１号公報
【発明の開示】
【発明が解決しようとする課題】
【０００４】
この種の出没式柵柱は、１本だけ単独で使用されることは少なく、例えば公共施設やショッピングセンター等の駐車場で多数本が同時に使用されることが多い。さらに、上記のような施設で出没式柵柱の管理や操作を行う作業者の多くが高齢者である実情に鑑みると、多数本の柱体を上げたり下げたりする作業を容易且つ迅速に行なえるのが望ましい。
【０００５】
しかしながら、前記従来の車止め柵柱は、内パイプの外周面に突出するロックピンを、ガイドブッシュの係合溝に係合または解除する構成であるため、その作業がスムーズに行なえいとともに、外パイプに対して内パイプを回転させる必要もあった。
【０００６】
本発明は、例えば、柱体を上げたり下げたりする単純で且つ簡単な作業により、柱体等の長尺体の突出位置を、容易に固定したり解除したりすることができることを課題とする。
【課題を解決するための手段】
【０００７】
本発明の出没式柵柱は、前記課題を解決するためになされたもので、地中に埋設される外筒を備えた固定側の長尺部材と、前記外筒内に昇降自在に収納される柱体と、該柱体が所定の突出位置で降下するのを解除自在に規制するロック手段とを備え、前記ロック手段は、柱体を突出位置で固定するロック位置と、柱体の没入を許容する解除位置とに位置変更できるように、支持軸を介して柱体に回転自在に支持されたストップカムからなり、前記長尺部材には、ロック位置でストップカムが回転不可能に係合する係合部が設けられ、しかも、前記長尺部材には、前記柱体を突出位置よりも上昇させることにより、ロック位置のストップカムを解除する側に回転させ、または、解除位置にあるストップカムをロックする側に回転させるように、ストップカムに当接するカム動作部が設けられていることにある。
【０００８】
そして、柱体を上げたり下げたりする単純で且つ簡単な作業により、ストップカムを、ロック位置と解除位置とに位置変更できる。
【０００９】
前記長尺部材は、筒状の柱体の内部で且つ柱体に沿って設けられた内側支持体を備え、該内側支持体に、前記係合部とカム動作部とが設けられ、前記係合部は外筒の長手方向に設けられた長尺状のガイド部材からなり、該ガイド部材は、前記カム動作部で回転したストップカムを、解除位置に位置決めし、しかも、解除位置にあるストップカムの摺動面と摺動する被摺動面が設けられているのが好ましい。
【００１０】
本発明の伸縮部材のロック装置は、第１長尺部材と、該第１長尺部材に対して伸縮自在に設けられた第２長尺部材と、該第２長尺部材が所定の突出位置で収縮する方向に移動するのを解除自在に規制するロック手段とを備えた伸縮部材のロック装置において、前記ロック手段は、前記第２長尺部材を突出位置で固定するロック位置と、前記第２長尺部材の収納を許容する解除位置とに位置変更できるように、支持軸を介して前記第２長尺部材に回転自在に支持されたストップカムからなり、前記第１長尺部材には、ロック位置でストップカムが回転不可能に係合する係合部が設けられ、しかも、前記第１長尺部材には、前記第２長尺部材を突出位置よりも突出させることにより、ロック位置のストップカムを解除する側に回転させ、または、解除位置にあるストップカムをロックする側に回転させるように、ストップカムに当接するカム動作部が設けられていることにある。
【発明の効果】
【００１１】
本発明は、例えば、出没式柵柱の柱体を上げたり下げたりする単純で且つ簡単な作業により、柱体等の長尺体の突出位置を容易に固定したり解除したりすることができる。
【発明を実施するための最良の形態】
【００１２】
以下、本発明の実施形態について、図面を参照しつつ説明する。図１〜図５は本発明の実施形態に係る出没式柵柱の実施の形態を示す。
【００１３】
図３は、出没式柵柱１の全体的構成を示す概略図である。出没式柵柱１は、地中５に埋設される外筒２と、この外筒２に対して上下方向に出退する柱体３と、この柱体３を所定の突出位置で解除自在に固定させるロック手段４とを備えている。
【００１４】
外筒２は、例えば中空の角筒形状を呈し、その下端部が外筒底板２１により閉塞されている。外筒２の内部には、内側支持体２２が設けられている。内側支持体２２は、図１および図２に示すように、断面形状がコの字状の板部材からなる一対の支持板２３、２４と、両方の支持板２３、２４の上面にボルト２５で固定された天板２６とを備えている。なお、外筒２と内側支持体２２とにより、固定側の第１長尺部材６が構成される。
【００１５】
各支持板２３、２４は、基部２３ａ、２４ａと、基部２３ａ、２４ａの両端から互いに対向するように延設された一対の両側片２３ｂ、２３ｂ、２４ｂ、２４ｂとからなる。一方の支持板２３の両角部２３ｃ内側には、支持板２３に沿って一対の長尺状のガイド部材２７、２７がそれぞれ設けられている。
【００１６】
また、他方の支持板２４の両角部２４ｃの内側には、支持板２４に沿って一対の長尺状のガイド部材２８、２８がそれぞれ設けられている。ここで、一方のガイド部材２７、２７の上端は、他方のガイド部材２８、２８の上端よりも高く（長く）なっている。ガイド部材２７、２８の上端と前記天板２６との間には、空間１０が設けられている。両方のガイド部材２７、２８間には、平行な間隔Ｈが上下方向に設けられている。また、天板２６で且つ短いガイド部材２８側（図１（ｂ）に示す間隔Ｈの中心線Ｙよりもガイド部材２８側）の上方には、カム固定部を構成するカム動作部（カム動作部材）２９が下向きに突設されている。なお、外筒２の上端部には、外方に張り出す環状部材１１が設けられている。
【００１７】
柱体３は、外筒２よりも小径の角筒形状を呈し、外筒２と内側支持体２２との間に挿入されている。柱体３の長さは外筒２と略同じであり、柱体３が下降した収納位置において、柱体３の上端は外筒２の上端と略面一となるようになっている。
【００１８】
柱体３の下部には前記ロック手段４が設けられている。すなわち、ロック手段４は、柱体３の対向する側壁３ａ、３ｂ間に両端がボルト３４で固定された支持軸３３と、この支持軸３３に回転自在に支持された一対のストップカム４１、４１とから構成されている。各ストップカム４１は、ガイド部材２６、２７に対向する位置に設けられている。支持軸３３には、カラー３５が外嵌されており、カラー３５は、各ストップカム４１を支持軸３３の軸方向に位置決めを行なっている。
【００１９】
ストップカム４１は中心線Ｙ上の回転中心Ｏを中心とする点対称で且つ、中心線Ｙに対して線対称の形状を呈している。具体的には、図１（ｂ）に示すように、ストップカム４１の中心線Ｙ方向（図の上下方向）の幅長Ｗ１は、中心線Ｙと直交する方向（図の横方向）の幅長Ｗ２よりも長く設定されている。また、カム４の幅長Ｗ１は、ガイド部材２７、２８の間隔Ｈよりも大きく、且つ、ストップカム４１の幅長Ｗ２は、間隔Ｈよりも若干小さく設定されている。
【００２０】
ストップカム４１の短辺（幅長Ｗ２）側面は、回転中心Ｏに向けてＶの字状に凹んだ傾斜面４３ａ、４３ｂが形成されている。また、ストップカム４１の長辺側面は、平滑な摺動面４４、４４となっている。そして、ストップカム４１は、４個の先端部４１ａ〜４１ｂを有している。
【００２１】
従って、図２（ｂ）に仮想線で示すように、ストップカム４１は、柱体３の突出位置において、傾斜面４３がガイド部材２７の上角部（係合部）に上方から係合し、且つ左側下方の先端部４１ｂが、このガイド部材２７の被摺動面２７ａに当接することで回転が規制されるロック位置と、柱体３の収納位置において、実線で示すように摺動面４４、４４が両ガイド部材２７、２８間の間隔Ｈ間に位置し、両ガイド部材２７、２８を摺動可能な解除位置とに変更可能となっている。
【００２２】
柱体３の上部には、取手部４５が、取付部材４６を介して出し入れ自在に設けられている。この取付部材４６の下面には、長尺状の支持板４７が設けらており、この支持板４７の下部に、前記支持軸３３が挿通されている。
【００２３】
上記構成からなる出没式柵柱１において、取手部４５を介して柱体３を上昇させると、ストップカム４１は、両側の摺動面４４、４４がそれぞれガイド部材２７、２８の被摺動面２７ａ、２８ａを摺動し、解除位置を維持するため、柱体３はスムーズに上方移動する（図４（ａ）参照）。
【００２４】
柱体３とともに上昇し空間１０に到達したストップカム４１の右上の先端部４１ａが、カム動作部２９に下方から当接すると（図４（ｂ）参照）、ストップカム４１は、矢印Ａ方向（図中時計回りのロックする側）に回転する。そして、ストップカム４１の傾斜面４３ａが、カム動作部２９の側面に当接するため、ストップカム４１の回転が阻止されると共に、柱体３の上昇が規制される。
【００２５】
柱体３は、自重で下方に移動しようとするが、ストップカム４１は解除位置よりもロックする側に所定の角度だけ回転しているため、ストップカム４１の傾斜面４３ｂが、ガイド部材２７の上角部に上方から係合するとともに、ストップカム４１の左下の先端部４１ｂがガイド部材２７の被摺動面２７ａに押圧される。このため、ストップカム４１の回転が不可能となり、柱体３は突出位置を維持する（図４（ｃ）参照）。
【００２６】
また、突出位置にある柱体３を若干上昇させると、空間１０に達したストップカム４１の右上先端部４１ｄが、カム動作部２９の下端部に当接するため（図５（ａ）参照）、ストップカム４１は、ロック位置から矢印Ａ方向（解除する側）にさらに回転する（図５（ｂ）参照）。柱体３を下降させると、ストップカム４１の左下の先端部４１ｂが、ガイド部材２７の上角部に当接するため、ストップカム４１は回転する（図５（ｃ）参照）。
【００２７】
このとき、このガイド部材２７よりもガイド部材２８は、低くなっているため、ガイド部材２８がストップカム４１の回転を阻害することはなく、ストップカム４１は、その摺動面４４、４４が、ガイド部材２７、２８の被摺動面２７ａ、２８ａに沿うように回転し、解除位置となる（図５（ｄ）参照）。この結果、ストップカム４１の両側の摺動面４４、４４は被摺動面２７ａ、２８ａを摺動しながら、柱体３を最下降位置の収納位置まで下降させることができる。
【００２８】
さらに、柱体３を上昇または下降させる動作を行なうことにより、ストップカム４１はロック位置と解除位置とに位置変更すべく同じ方向に回転する。
【００２９】
この結果、本発明の出没式柵柱の柱体を、上げたり下げたりする単純で且つ簡単な作業により、柱体を回転させることなく、柱体の突出位置を容易に固定したり解除したりすることができる。例えば公共施設やショッピングセンター等の駐車場で多数本が使用する場合であっても、多数本の柱体を上げたり下げたりする作業により容易且つ迅速に行なえる。
【００３０】
また、柱体を回転して止めないため、柱体および外筒等の構成部材は、円形に限定されることはなく、本実施の形態のように矩形状やその他の多角形状等の任意の形状にすることができる。
【００３１】
また、従来の出没式柵柱は、外筒の上端にガイドブッシュが嵌合されているとともに、このガイドブッシュの上面には、柱体が挿通されたガイドカバーが被せられる。このガイドカバーは、その上方から取着されるビスにより、ガイドブッシュに設けられた鍔部とともに、外筒の上端に設けられたフランジ部材に対して締結固定されている。
【００３２】
このため、従来の柱体の周囲には、ガイドブッシュの鍔部を被覆するガイドカバーが地面から露出し、その柱体周りの見えかかり部分は大きくなる。
【００３３】
本実施の形態は、ストップカム４１等のロック機構を、外筒および柱体内に設けているため、柱体を固定するガイドブッシュが不要となり、外筒上端外周には、例えば、厚さ３ｍｍ程度の環状部材１１が存在する程度であるため、見えかかり部分も小さくできる。
【００３４】
しかも、ストップカム４１の回転により係合または解除する構成であるため、構造が簡単となり全体の軽量化も図ることができる。
【００３５】
本発明は、出没式柵柱に限定されるものではなく、その他の伸縮自在な支柱に採用可能である。例えば、第１長尺部材６および第２長尺部材を板材から構成した場合には、ストップカムを、板材に取付けることができ、内側支持体２２を必ずしも設ける必要はない。
【００３６】
また、支柱の伸縮方向も上下に限らず、横方向や斜め方向の任意の方向が可能である。しかも、第１長尺部材６および第２長尺部材は互いに相対的に移動する構成であってもよい。
【図面の簡単な説明】
【００３７】
【図１】本発明の一実施形態に係る出没式柵柱の要部を示し、（ａ）は（ｂ）のＡ−Ａ線矢視断面図、（ｂ）は縦断面図である。
【図２】同柱体が収納された状態の全体を示し、（ａ）は平面図、（ｂ）は断面図である。
【図３】出没式柵柱の使用状態を示す断面概略画である。
【図４】（ａ）〜（ｃ）は、柱体を上昇させロックした状態をそれぞれ示す断面図である。
【図５】（ａ）〜（ｄ）は、柱体をロックした状態から下降させる状態をそれぞれ示す断面図である。
【符号の説明】
【００３８】
１    出没式柵柱
２    外筒
３    柱体
４    ロック手段
５    地中
６    長尺部材（第１長尺部材）
２２  内側支持体
２７  係合部（ガイド部材）
２７ａ  被摺動面
２８  ガイド部材
２８ａ  被摺動面
２９  カム動作部材（カム動作部）
３３  支持軸
４１  ストップカム
４４  摺動面
【図１】
0004817373.tif 000002
【図２】
0004817373.tif 000003
【図３】
0004817373.tif 000004
【図４】
0004817373.tif 000005
【図５】
0004817373.tif 000006